(57)【特許請求の範囲】
【請求項１】
一対の鋏半体（１，２）の中間部が枢支ピン（３）を以て開閉自在に枢支連結され、その両鋏半体（１，２）の刃部（１2 ，２2 ）により、水槽（Ｔ）内等に植込まれる水草（Ｇ）をカットする水草カット用鋏であって、
前記一対の鋏半体（１，２）の基端（１1 ，２1 ）に形成した取付孔（４）に、弾性部材よりなる一対の保持部材（５，５）をそれぞれ着脱可能に取付け、その一対の保持部材（５，５）には、ピンセット（Ｐ）の対をなす先端（ｅ2 ）を着脱自在に差込保持し得る差込孔（６）をそれぞれ形成したことを特徴とする、水草カット用鋏。
【請求項２】
前記一対の鋏半体（１，２）の各々の刃部（１2 ，２2 ）の刃面は、相手側の刃部（２2 ，１2 ）から離れる側に凹状に形成されていることを特徴とする、前記請求項１記載の水草カット用鋏。
【発明の詳細な説明】
【０００１】
【産業上の利用分野】
本発明は、水槽内等に植込まれている水草を簡単、容易にカットすることができるようにした、水草カット用鋏に関するものである。
【０００２】
【従来の技術】
従来水槽内に植込まれる水草をカット管理するのに、(1) 人が鋏を把持して水槽内に手を入れしその鋏でカットするか、(2) 操作棒の先端に小挟を取付け、操作棒内のリンクを操作することにより小挟を操って水草をカットすることが一般に行なわれる。
【０００３】
【発明が解決しようとする課題】
ところが前記(1) のカット手段では、人が水槽内に手を入れるため、水を汚し、また緻密に繁殖している細かい水草を所望の状態にカットするのが難しいという課題があり、また前記(2) のカット手段では、小挟みを操作棒内のリンクを介して開閉操作するので、小挟を円滑に開閉操作することができず、この場合も水草を所望な状態にカットするのが難しいばかりでなく、コスト高になるという課題がある。
【０００４】
本発明はかかる実情に鑑みてなされたもので、ピンセット等の通常の開閉具を利用して簡単、容易に水草をカットすることができるようにした、安価な水草カット用鋏を提供することを目的とするものである。
【０００５】
【課題を解決するための手段】
前記目的達成のため、請求項１記載の発明によれば、一対の鋏半体の中間部が枢支ピンを以て開閉自在に枢支連結され、その両鋏半体の刃部により、水槽内等に植込まれる水草をカットする水草カット用鋏であって、前記一対の鋏半体の基端に形成した取付孔に、弾性部材よりなる一対の保持部材をそれぞれ着脱可能に取付け、その一対の保持部材には、ピンセットの対をなす先端を着脱自在に差込保持し得る差込孔をそれぞれ形成したことを特徴としている。
【０００６】
また請求項２記載の発明によれば、前記請求項１記載のものにおいて、前記一対の鋏半体の各々の刃部の刃面は、相手側の刃部から離れる側に凹状に形成されていることを特徴としている。
【０００７】
【実施例】
以下、図面を参照して本発明の好適な実施例について説明する。
【０００８】
図１は、水草カット用鋏の正面図、図２は、その一部破断側面図、図３は、水草カット用鋏をピンセットに取付けた状態を示す斜視図、図４は、ピンセットを正作用型とした場合の側面図、図５は、図４の５線矢視拡大部分図、図６は、図５の６−６線断面図、図７は、ピンセットを逆作用型とした場合の側面図、図８は、水草カット用鋏の使用状態を示す図、図９は、図８の９−９線拡大断面図である。
【０００９】
水草カット用鋏Ｓは、ステンレス綱等の不錆金属材、セラミクス材、硬質合成樹脂材等により形成され、一対の鋏半体１，２の中間部を枢支ピン３により開閉自在に枢支連結して構成される。一対の鋏半体１，２の膨大基端１1 ，２1 には、それぞれ取付孔４，４が開口され、各取付孔４には、それぞれ保持部材５，５が着脱自在に取付けられる。各保持部材５は、ポペット状の取付部５1 と円筒状の保持部５2 とを一体に形成してなり、その保持部５2 には、行止まりの差込孔６が形成されている。
【００１０】
一対の鋏半体１，２の各々の刃部１2 ，２2 の刃面は、相手側の刃部２2 ，１2 から離れる側に凹状に形成されており、これらの刃面により水草Ｇの枝、幹部等をカットするとき、それらを刃部１2 ，２2 から逃げないようにしている。
【００１１】
前記水草カット用鋏Ｓを開閉操作するための開閉具として、本実施例では、正、逆作用型のピンセットＰが使用される。このピンセットＰは、図４に示すように通常先端挟持部が開いていて把持力を加えることにより物を挟むことができるようにした正作用型と、図７に示すように通常先端挟持部が閉じていて把持力を加えることにより先端挟持部が拡開されるようにした逆作用型とに兼用できるように構成されている。
【００１２】
次にこのピンセットＰの構造について説明するに、図３に示すように基端ｅ1 を一体に結合された一対は挟持片１０，１１は、その自由状態では互いに離隔する方向にＶ字状に拡開され、それらの基部を互いに接近する方向に押圧するとき、互いに離れる方向への弾発力が得られるように構成される。また一対の挟持片１０，１１の中間部は相互に重合されて上下にクロスされ、このクロス部から先端までは上下が逆になり、互いに重なり合っている。そして一対の挟持片１０，１１の先端ｅ2 は、それらの基部１０1 ，１１1 の外方への弾発力により圧接され、挟持片１０，１１の基部１０1 ，１１1 を押圧することにより、それらの前端の挟持力が加減される。
【００１３】
一対の挟持片１０，１１の基部１０1 ，１１1 は、それら間の間隔を調整するための調整部材１２が設けられる。この調整部材１２は合成樹脂材により偏平な角筒状に形成されて前記基部１０1 ，１１1 にその長手方向に摺動可能に嵌挿されている。この調整部材１２の上面には、その長手方向に沿う長孔１３が形成されており、この長孔１３に前記基部１０1 ，１１1 に固着したガイドストッパ１５が係合されており、調整部材１２はその両端がガイドストッパ１５に係合するまで前後に摺動可能である。また調整部材１２には、その長孔１３に沿って目盛１６が付されており、この目盛１６をガイドストッパ１５上の基準ポイント１７に一致させることにより、調整部材１２の調整位置が読み取れるようになっている。調整部材１２を図５，６実線位置に示すように前進限位置まで移動させると、図４に示すようにピンセットＰは、先端ｅ2 の開いた正作用型として使用することができ、また調整部材１２を図５，６鎖線位置に示すように後退限まで移動させると、図７に示すようにピンセットＰは、先端ｅ2 の閉じた逆作用型として使用することができる。
【００１４】
次に前記水草カット用鋏Ｓを前記ピンセットＰにより開閉作動して水槽Ｔ内の水草Ｇをカットする過程について説明すると、調整部材１２を前述したように前進限までにスライド調整して該ピンセットＰの先端ｅ2 を開いて正作用型としたのち、該ピンセットＰの先端ｅ2 を図３に示すように水草カット用鋏Ｓの差込孔６，６に差込保持させる。このとき保持部材５，５の弾性により水草カット用鋏Ｓは図３に示すようにピンセットＰの先端に保持されて、そこから抜け出る虞はなく、鋏ＳはピンセットＰの拡開力により開き位置に保持される。この状態からピンセットＰの基部を把持して水草カット用鋏Ｓを、該ピンセットＰの前半部と共に水槽Ｔ内の貯留水内に浸漬し、該ピンセットＰの間欠的な押圧作用により、水草カット用鋏Ｓを開閉作動して水草Ｇの枝や葉をカットすることができる。この場合水草カット用鋏Ｓの一対の刃部１2 ，２2 の刃面は凹状に形成されていることにより図９に明瞭に示すようにこれらの刃面が水草Ｇの枝や幹を逃げないようにホールドしてカットすることができるので、水中でも難なくそれらのカット作業を確実、容易に行なうことができる。
【００１５】
また図９に示すようにピンセットＰの開閉作動によりその先端ｅ2 は、に示すように直線的な軌跡ａを辿るのに対し、水草カット用鋏Ｓの膨大基端１1 ，２1 は枢支ピン３を中心とする円弧状の軌跡ｂを辿ることになり、それらの軌跡ａ，ｂの差による両者の位置ズレは、保持部材５，５が弾性部材により形成されること、およびピンセットＰの先端が差込孔６内を相対回動できることにより吸収することができ、これにより水草カット用鋏Ｓの円滑な遠隔開閉操作が可能になる。
【００１６】
以上、本発明の一実施例について説明したが、本発明はその実施例に限定されることなく、本発明の範囲内で種々の実施例が可能である。たとえば水草カット用鋏を開閉作動するための開閉具は前記ピンセントに代えて従来の正作用型のピンセットその他同効物の使用が可能であることは勿論である。
【００１７】
【発明の効果】
以上のように請求項１記載の本発明によれば、水槽内等に植込まれる水草をカットするための水草カット用鋏において、一対の鋏半体の基端に形成した取付孔に、弾性部材よりなる一対の保持部材をそれぞれ着脱可能に取付け、その一対の保持部材には、ピンセットの対をなす先端を着脱自在に差込保持し得る差込孔をそれぞれ形成したので、この鋏をピンセットの先端に前記保持部材を介して着脱自在に取付けることにより、水槽内の水草の葉、枝および幹等をカットすることができ、特に水草が密に繁殖しているところでも水草カット用鋏を枝葉間に進入させて的確、容易に水草の葉、枝および幹等をカットすることができる。またこの水草カット用鋏は、通常のピンセットを使用して遠隔開閉操作が可能であり、特別の操作部材を必要としないので、きわめて廉価に提供することができる。またピンセットの開閉作動によりその先端が直線的な軌跡を辿るのに対して、一対の鋏半体の基端が枢支ピンを中心とする円弧状の軌跡を辿ることになるが、それらの軌跡の差による両者の位置ズレを、前記弾性部材よりなる保持部材により吸収することができ、水草カット用鋏の円滑な遠隔開閉操作が可能になる。
【００１８】
また請求項２記載の発明によれば、前記請求項１記載のものにおいて、前記一対の鋏半体の各々の刃部の刃面は、相手側の刃部から離れる側に凹状に形成されているので、前記作用効果に加えて水草カット用鋏の刃部は水草の枝や幹を逃がさずにホールドしてカットすることができ、比較的硬い枝や幹でも難なくカットすることができる。
【図面の簡単な説明】
【図１】水草カット用鋏の正面図
【図２】水草カット用鋏の一部破断側面図
【図３】水草カット用鋏をピンセットに取付けた状態を示す斜視図
【図４】ピンセットを正作用型とした場合の側面図
【図５】図４の５線矢視拡大部分図
【図６】図５の６−６線断面図
【図７】ピンセットを逆作用型とした場合の側面図
【図８】水草カット用鋏の使用状態を示す図
【図９】図８の９−９線拡大断面図
【符号の説明】
１・・・・鋏半体
１1 ・・・鋏半体の基端
１2 ・・・鋏半体の刃部
２・・・・鋏半体
２1 ・・・鋏半体の基端
２2 ・・・鋏半体の刃部
４・・・・取付孔
５・・・・保持部材
６・・・・差込孔
ｅ2 ・・・先端
Ｐ・・・・ピンセット
Ｔ・・・・水槽
Ｇ・・・・水草
【図１】
0003554357.tif 000002
【図２】
0003554357.tif 000003
【図３】
0003554357.tif 000004
【図４】
0003554357.tif 000005
【図５】
0003554357.tif 000006
【図６】
0003554357.tif 000007
【図７】
0003554357.tif 000008
【図８】
0003554357.tif 000009
【図９】
0003554357.tif 000010